(57)【特許請求の範囲】
【請求項１】
開口枠の縦枠に対して直角方向に突出するように、その一端がとりつけられる中空パイプ状の短尺の受部材と、その受部材の他端に、その一端が水平位置と垂直位置の間を回転可能に枢支される中空パイプ状の長尺の操作部材とからなる中空パイプ状の本体部材を備えており、該操作部材の他端にはストッパ部が形成されており、一方上記受部材の中空部に挿入される短尺の錠ロッドと、その錠ロッドの一端に、その一端が水平位置と垂直位置の間を回転可能に枢支され、上記操作部材の中空部に挿入される長尺の作動ロッドとからなるロッド部材を備えており、該作動ロッドの他端には該ロッドを押動する一対の把手部が、バネを介して拡縮自在に、挟み状に形成されており、解錠に際しては上記本体部材を水平位置にした状態で、上記一対の把手部を手でつかんで、バネに抗してその間隙が縮む方向に操作してストッパ部と把手部との係合を解き、次いで把手部を外側に引くことによって作動ロッドとともに錠ロッドが押動して錠ロッドの一端が受部材より突出している状態から、没入する方向に押動して解錠し、さらに施錠に際しては把手部を内側に押動してストッパ部と係合の状態とし、錠ロッドの一端が受部材より所定長さ突出した状態で本体部材の枢支部とロッド部材の枢支部が合致して互いに垂直位置に回転した際に施錠状態を保持することを特徴とする錠。
【請求項２】
請求項１に記載の錠における錠ロッドが面格子等の引戸の錠受口に挿入係合されて、引戸の移動を阻止して引戸を施錠状態に保持することを特徴とする施錠装置。
【発明の詳細な説明】
【０００１】
【産業上の利用分野】
本発明は面格子等の施錠に用いる錠およびその錠を用いた施錠装置に関する。
【０００２】
【従来の技術】
従来、面格子等の施錠用としての錠は知られている。本発明者も既に特願平６−１８９８１５号として提案している。近年さらに防犯用に効果のある、また避難の際、簡単な操作で脱出できる面格子が要求されている。
【０００３】
【発明が解決しようとする課題】
ところが上記従来の錠は施錠効果が全く十分とは言えず外部から解錠される虞れがあった。本発明はこの点を改良している。
【０００４】
【課題を解決するための手段】
本発明は上記の問題点を以下の手段を用いて解決したものである。
その一つは、「開口枠の縦枠に対して直角方向に突出するように、その一端がとりつけられる中空パイプ状の短尺の受部材と、その受部材の他端に、その一端が水平位置と垂直位置の間を回転可能に枢支される中空パイプ状の長尺の操作部材とからなる中空パイプ状の本体部材を備えており、該操作部材の他端にはストッパ部が形成されており、一方上記受部材の中空部に挿入される短尺の錠ロッドと、その錠ロッドの一端に、その一端が水平位置と垂直位置の間を回転可能に枢支され、上記操作部材の中空部に挿入される長尺の作動ロッドとからなるロッド部材を備えており、該作動ロッドの他端には該ロッドを押動する一対の把手部が、バネを介して拡縮自在に、挟み状に形成されており、解錠に際しては上記本体部材を水平位置にした状態で、上記一対の把手部を手でつかんで、バネに抗してその間隙が縮む方向に操作してストッパ部と把手部との係合を解き、次いで把手部を外側に引くことによって作動ロッドとともに錠ロッドが押動して錠ロッドの一端が受部材より突出している状態から、没入する方向に押動して解錠し、さらに施錠に際しては把手部を内側に押動してストッパ部と係合の状態とし、錠ロッドの一端が受部材より所定長さ突出した状態で本体部材の枢支部とロッド部材の枢支部が合致して互いに垂直位置に回転した際に施錠状態を保持することを特徴とする錠」である。
その二つは、「上記記載の錠における錠ロッドが面格子等の引戸の錠受口に挿入係合されて、引戸の移動を阻止して引戸を施錠状態に保持することを特徴とする施錠装置」である。
【０００５】
【作用】
本発明の錠は、中空パイプ状の本体部材の他端にとりつけられたストッパ部と、その中空部に挿入されるロッド部材の他端にとりつけられる把手部とからなり、解錠に際しては本体部材を水平位置にした状態で把手部を操作して、ストッパ部と把手部との係合を解いて、次いで把手部を外側に引くとロッド部材が外側に押し動かされて錠ロッドの一端が受部材より突出している状態から、没入する方向に移動して解錠し、さらに施錠に際しては把手部を内側に押動してストッパ部と係合の状態とすればロッド部材が同時に移動して、錠ロッドが所定長さ本体部材の受部材よりも内側に突出する位置で錠受口に納まり、この状態で操作部材および作動ロッドを水平位置から垂直位置に回転して施錠状態を保持することとなる。
このようにすれば錠ロッドは面格子の錠受口に突出して係合して施錠しており、かつ錠ロッドが没入することもない。さらに解錠に際しては本体部材を水平位置に移動し、次いで把手部とストッパ部との係合を解き、ついで把手部を外側に引くことによってロッド部材も外側に移動して錠受口から外れる。それゆえに施錠、解錠操作も簡単であり、さらに防犯面の施錠効果がすぐれている。
【０００６】
さらにまた本発明の錠は、受部材を介して開口枠の縦枠にとりつけた状態で、把手部の操作によって、錠ロッドが面格子等の引戸の錠受口に挿入係合されて引戸を施錠状態に保持する構成であり、さらに操作部材とともに作動ロッドが垂直位置に回転すれば、錠ロッドは没入することがなく施錠状態を確実に保持する。さらにこの錠は一般に高窓、腰窓の前面にとりつけられる面格子の施錠に用いるのが好ましく、施錠状態から解錠状態にするには、操作部材および作動ロッドを一度水平位置の状態に戻さねばならない。
ところが、サッシ戸を開けないと操作部材および作動ロッドがサッシ戸に当たって水平位置の状態にならないので常に施錠された状態になる。解錠するには、サッシ戸を開けて上記両部材を室内に入れて水平位置の状態に保ち、次いで把手部を操作してストッパ部と把手部との係合を解き、次いで把手部を外側に引くことによって作動ロッドを引き寄せて、錠ロッドを面格子の錠受口から引き出すことが可能になる。よってこの施錠装置は本体部材を水平位置の状態にしても把手部とストッパ部とが係合しているので、それを解除しなければならず、防犯上の施錠効果も大きく、使用者側の施錠、解錠の操作も簡単である。
【０００７】
【実施例】
図面は本発明の実施例を示す。図１、図２において、１は面格子の開口枠の下枠、２は縦枠、３はレール、４は一対の面格子で、一方は嵌め殺し、他方はレール３に沿って引戸式に開閉できる。５は縦枠、６は横枠である。７はサッシ枠、８はサッシ戸である。これらの構成は従来公知である。
９は本発明の錠である。詳細は後述するが、面格子４に施錠又は解錠される。この錠は、開口枠の縦枠２に対して直角方向に室内側に突出するように、中空パイプ状の短尺の受部材１１の一端が金具１１ｃを介してとりつけられる。１１ｄは止具である。
その受部材１１の他端に、中空パイプ状の長尺の操作部材１２の一端が水平位置と垂直位置の間を回転可能に枢支される。操作部材１２の他端にはストッパ部１２ｅが形成されている。
【０００８】
受部材の中空部には、短尺の錠ロッド１４が受部材の一端側の面格子側に所定長さ突出、没入するように挿入されている。しかして操作部材の中空部には長尺の作動ロッド１５（不図示）が挿入されており、その一端が上記錠ロッドの一端と互いに水平位置と垂直位置の間を回転可能に枢支されている。作動ロッドの他端には該ロッドを押動する一対の把手部１５ｃ、１５ｃが一体的に、かつ該把手部はバネを介して開閉可能につまり拡縮可能に、後述しているが挟み状に形成されている。
しかして該把手部はストッパ部１２ｅの中にあり、その先端の手のつかみ部がストッパ部１２ｅの外側に露出している。また水平位置の状態においては作動ロッドの端部の一対の把手部を手で挟んで閉じる方向、いわば一対の把手部の間隙を縮める方向に操作してストッパ部と把手部との係合を解き、次いで把手部を外側に引くことによって作動ロッドとともに錠ロッドが外側に移動して、つまり錠ロッドの一端が受部材より没入する方向に移動して解錠される。
施錠に際しては把手部を内側に押して元の状態、言わばストッパ部と係合の状態にすると錠ロッド１４が受部材より所定長さ突出して、面格子の縦枠に形成している錠受口５ａに挿入係合した状態では、両部材の枢支部が同じ位置に合致して互いに回転でき、垂直位置に回転した際に施錠状態を確実に保持する。つまり面格子を開けようとしても、錠ロッド１４が錠受口に係合していて開けることができない。
【０００９】
面格子の錠受口は面格子の下枠に形成してもよく、また錠受口を別に施錠金具として面格子の適宜箇所に設けることもできる。
【００１０】
図３において、１１は金属材からなる短尺の角型中空パイプ状の受部材である。１１ａは一側を切欠した開口部、１１ｂは両側に形成している枢支ピンの挿入孔、１１ｃは受部材の取付金具で、適宜手段で受部材と一体固定しており、該金具を開口枠の縦枠に固定して受部材をとりつける。これが縦枠にとりつけられた状態では縦枠に対して直角方向に室内側に突出する。１１ｄは中空部である。
【００１１】
図４において、１２は金属材からなる長尺の角型中空パイプ状の操作部材である。１２ａは一側を切欠した開口部で、前記受部材の開口部に対向する。１２ｂは両側に形成している枢支ピンの挿入孔、１２ｃは中空部である。これら本体部材は中空パイプ状であれば円筒型、その他でもよい。この操作部材の他端には外形がこれと略同型のストッパ部１２ｅが嵌着、接着、止着等の固定手段で一体的に形成されている。この部材は合成樹脂製の中空角形部材で、内側には後述する把手部と係合する突起部１２ｅ１が形成されており、後述するがこれに係合されている状態では把手部は外側への移動が阻止される。
【００１２】
図５において、１４は丸型の短尺の錠ロッド、１５は丸型の長尺の作動ロッドで、他端には一対の把手部１５ｃがバネ１５ｃ２を介して開閉自在に、言わば拡縮自在に挟み状に形成されている。１５ｃ１は一対の把手部に形成している凹凸状の係合部、図面では係合凹部で、ストッパ部１２ｅの突起部１２ｅ１が係脱する。両ロッド１４、１５の一端部の切欠部１４ａ、１５ａをそれぞれ枢支部とし、枢支ピンの挿入孔１４ｂ、１５ｂを形成している。
Ｄ図は、両部材を枢着したロッド部材１３である。錠ロッド１４に対して作動ロッド１５が水平位置と垂直位置の間を回転して枢支している状態を示している。ロッド部材１３は厚板状、角形金属材等でもよい。作動ロッドに対する把手部の取付けは嵌着、ネジ止め、かしめ止め等適宜な結合手段を採用できる。要は両者が一体的であればよい。
【００１３】
図６は、図４、図５に示すストッパ部１２ｅと把手部１５ｃとの係合状態の拡大の要部断面図を示す。Ａは係合状態であり、把手部１５ｃに形成した係合凹部１５ｃ１がストッパ部１２ｅの突起部１２ｅ１の中に嵌合しており、把手部の内外方向の移動が阻止されている。１５ｃ２はバネ（スプリング）で、一対の把手部は略Ｕ字状又はＶ字状であり、バネによって拡縮自在に弾支されている。
Ｂは脱合状態、ストッパ部と把手部が係合していない状態であり、バネに抗して一対の把手部を手でつかんでその間隔を縮めている。この状態では把手部の係合凹部１５ｃ１が突起部１２ｅ１から脱けており、把手部は内外方向に移動可能である。
Ｃは把手部を外側に所定長さだけ引いた状態を示す。この状態は作動ロッド、錠ロッドが同時に外側に引かれており、錠ロッドが錠受口から外れて解錠の状態となる。
【００１４】
図７、図８は、本発明錠の作動状態を示し、図７は本体部材１０が水平位置になっており、この中空部内にロッド部材が挿入されている。詳しく説明すれば、受部材１１と操作部材１２は枢支部１０ａを介して水平位置と垂直位置の間を回転可能に枢着されている。そして中空部にはロッド部材１３が挿入されており、錠ロッドの先端は受部材に没入している。そして作動ロッドの一端が外側に引き寄せられて、その先端の把手部が操作部材の一端のストッパ部１２ｅより大きく露出している。１１ｅは受部材に挿着している錠ロッドの受部である。これら受部１１ｅはゴム製、樹脂製で中空部に圧入されている。ロッド部材を本体部材の中空部において水平位置、垂直位置の間を回転して移動可能に支持する手段は、全く支持できないような遊嵌合を除けば適宜いずれでもよい。
【００１５】
尚、図７の状態では錠ロッドと作動ロッドを枢支しているロッド部材１３の枢支部１３ａは上記した枢支部１０ａと合致しておらず、よって両部材は垂直位置に回転できない。
回転できるようにするには、把手部を内側に押し込んで錠ロッドを所定長さ受部材より突出せしめて、枢支部１０ａと枢支部１３ａを同じ位置に合致せしめ、しかるのち把手部をもって回転すれば、図８の如く操作部材１２が垂直位置に立設して施錠状態となる。
【００１６】
１６は吊下げ用のワイヤー、ひも体等の吊り部材である。不図示であるが、これの一端は開口枠の適所に固定している。他端は操作部材１２に固定部１６ａを介して適宜固定している。このような吊り部材であれば、自発的に折れ曲がるので、施錠時は操作部材が立設しているので、単に垂れ下がり状態を保ち、解錠時の操作部材が水平位置の状態では長尺の操作部材の荷重を受けている。言わば操作部材の荷重を受部材との枢支部１０ａ、またはその近傍の支持箇所で支持しているのを吊り部材が一部負担することになる。このようにすれば２点支持となり安定する。
【００１７】
図９はストッパ部と把手部との係合状態の別の実施例を示す。Ａは略正面図、Ｂは略側面図である。上記の実施例と異なるところは作動ロッド１５に対して把手部１５ｃが回転できるようにして一体的に連結されていることである。該把手部に係合部（係合突起）１５ｃ１が周方向に形成していること、一方ストッパ部１２ｅには上記係合部１５ｃ１が係脱する凹部１２ｅ１が把手部の露出開口の周囲に形成されていることである。
図示より当業者であれば明らかなように、解錠に際しては把手部を所定の位置に回転すると把手部の突起１５ｃ１が凹部１２ｅ１に位置し、外側に引くと把手部を外側に引くことができる。つまりロッド部材も外側に引くこととなり解錠できる。施錠に際しては、逆の動作をすればよく、把手部を内側に所定の位置まで押動してから回転すれば施錠状態にできる。本発明は技術的思想を逸脱しない範囲において設計変更は可能である。
【００１８】
【効果】
本発明の錠は、中空パイプ状の本体部材の他端にとりつけられたストッパ部と、その中空部に挿入されるロッド部材の他端にとりつけられる把手部とからなり、解錠に際しては本体部材を水平位置にした状態で把手部を操作して、ストッパ部と把手部との係合を解いて、次いで把手部を外側に引くとロッド部材が外側に押し動かされて錠ロッドの一端が受部材より突出している状態から、没入する方向に移動して解錠し、さらに施錠に際しては把手部を内側に押動してストッパ部と係合の状態とすればロッド部材が同時に移動して、錠ロッドが所定長さ本体部材の受部材よりも内側に突出する位置で錠受口に納まり、この状態で操作部材および作動ロッドを水平位置から垂直位置に回転して施錠状態を保持することとなる。
このようにすれば錠ロッドは面格子の錠受口に突出して係合して施錠しており、かつ錠ロッドが没入することもない。さらに解錠に際しては本体部材を水平位置に移動し、次いで把手部とストッパ部との係合を解き、ついで把手部を外側に引くことによってロッド部材も外側に移動して錠受口から外れる。それゆえに施錠、解錠操作も簡単であり、さらに防犯面の施錠効果がすぐれている。
【００１９】
さらにまた本発明の錠は、受部材を介して開口枠の縦枠にとりつけた状態で、把手部の操作によって、錠ロッドが面格子等の引戸の錠受口に挿入係合されて引戸を施錠状態に保持する構成であり、さらに操作部材とともに作動ロッドが垂直位置に回転すれば、錠ロッドは没入することがなく施錠状態を確実に保持する。さらにこの錠は一般に高窓、腰窓の前面にとりつけられる面格子の施錠に用いるのが好ましく、施錠状態から解錠状態にするには、操作部材および作動ロッドを一度水平位置の状態に戻さねばならない。
ところが、サッシ戸を開けないと操作部材および作動ロッドがサッシ戸に当たって水平位置の状態にならないので常に施錠された状態になる。解錠するには、サッシ戸を開けて上記両部材を室内に入れて水平位置の状態に保ち、次いで把手部を操作してストッパ部と把手部との係合を解き、次いで把手部を外側に引くことによって作動ロッドを引き寄せて、錠ロッドを面格子の錠受口から引き出すことが可能になる。よってこの施錠装置は本体部材を水平位置の状態にしても把手部とストッパ部とが係合しているので、それを解除しなければならず、防犯上の施錠効果も大きく、使用者側の施錠、解錠の操作も簡単である。
【図面の簡単な説明】
【図１】  本発明の錠およびそれを用いた施錠装置の略平面図。
【図２】  図１の要部拡大図で、錠は操作部材を垂直方向に操作した状態のみを示し、水平方向の状態は省略している。
【図３】  本発明錠の受部材を示し、Ａは平面図、Ｂは正面図、Ｃは背面図、Ｄは右側面図。
【図４】  同じく操作部材を示し、Ａは平面図、Ｂは正面図、Ｃは背面図、Ｄは右側面図。
【図５】  同じく錠ロッドおよび作動ロッドを示し、Ａは作動ロッドの正面図、Ｂはそれの平面図、Ｃは錠ロッドの正面図、Ｄは両部材を枢支した状態を示すロッド部材の正面図。
【図６】  図４、図５に示すストッパ部と把手部との係合状態を示す要部断面図で、Ａは係合状態、Ｂは脱合状態、Ｃは脱合状態で把手部を外側に引いた状態を示す。
【図７】  本発明錠の作動状態を示す正面図。
【図８】  同じく別の作動状態を示す正面図。
【図９】  本発明錠のストッパ部と把手部との係合状態を示す別の実施例であり、Ａは略正面図、Ｂは略側面図。
【符号の説明】
１      下枠                    １２ｃ  中空部
２      縦枠                    １２ｅ  ストッパ部
４      面格子                  １３    ロッド部材
５      縦枠                    １４    錠ロッド
５ａ    錠受口                  １５    作動ロッド
６      横枠                    １５ｃ  把手部
９      錠
１０    本体部材
１１    受部材
１１ｄ  中空部
１２    操作部材
【図１】
0003702400.tif 000002
【図２】
0003702400.tif 000003
【図３】
0003702400.tif 000004
【図４】
0003702400.tif 000005
【図５】
0003702400.tif 000006
【図６】
0003702400.tif 000007
【図７】
0003702400.tif 000008
【図８】
0003702400.tif 000009
【図９】
0003702400.tif 000010